(57)【要約】【課題】運転者の意思に応じた走行性を確保することでドライバビリティの向上を図った車両の走行制御装置を提供する。【解決手段】前車との位置関係に基づいて変速機の変速段又は変速比を低速側に変更する制御を実行する車両の走行制御装置において、自車の定常走行に必要な駆動力を検出する駆動力検出手段（Ｓ１５）と、自車の駆動力増大指示に相当する値と前記駆動力検出手段が検出した定常走行に必要な駆動力とに基づいて前記低速側に変更する制御が終了するまで制御時間を設定する制御時間設定手段（Ｓ１６、Ｓ１７）とを具えたことを特徴とするものである。前記制御時間設定手段は、前記駆動力増大指示に相当する値と前記駆動力検出手段が検出した定常走行に必要な駆動力との偏差に基づいて前記低速側に変更する制御が終了するまで制御時間を設定することができる。【選択図】        図２
2007040434.tif 000002
【特許請求の範囲】
【請求項１】
前車との位置関係に基づいて変速機の変速段又は変速比を低速側に変更する制御を実行する車両の走行制御装置において、自車の定常走行に必要な駆動力を検出する駆動力検出手段と、自車の駆動力増大指示に相当する値と前記駆動力検出手段が検出した定常走行に必要な駆動力とに基づいて前記低速側に変更する制御が終了するまで制御時間を設定する制御時間設定手段とを具えたことを特徴とする車両の走行制御装置。
【請求項２】
請求項１記載の車両の走行制御装置において、前記制御時間設定手段は、前記駆動力増大指示に相当する値と前記駆動力検出手段が検出した定常走行に必要な駆動力との偏差に基づいて前記低速側に変更する制御が終了するまで制御時間を設定することを特徴とする車両の走行制御装置。
【請求項３】
請求項２記載の車両の走行制御装置において、前記駆動力増大指示に相当する値と前記
駆動力検出手段が検出した定常走行に必要な駆動力との偏差が大きいほど、前記制御時間
を長く設定したことを特徴とする車両の走行制御装置。
【請求項４】
請求項１から３のいずれか一つに記載の車両の走行制御装置において、前記低速側に変更する制御中に前記駆動力増大指示に相当する値が変更されたときに、前記制御時間設定手段は、変更された駆動力増大指示に相当する値に基づいて前記制御時間を更新することを特徴とする車両の走行制御装置。
【請求項５】
請求項１から４のいずれか一つに記載の車両の走行制御装置において、前記低速側に変更する制御中に前記駆動力増大指示が解除されたときに、前記制御時間をキャンセルすることを特徴とする車両の走行制御装置。
【請求項６】
請求項１から５のいずれか一つに記載の車両の走行制御装置において、前記制御時間設
定手段は、前記駆動力増大指示に相当する値としての現在のアクセル開度と、前記定常走行に必要な駆動力から求められた定常アクセル開度とに基づいて前記低速側に変更する制御が終了するまでの制御時間を設定することを特徴とする車両の走行制御装置。
【請求項７】
前車との位置関係に基づいて変速機の変速段又は変速比を低速側に変更する制御を実行する車両の走行制御装置において、前記低速側に変更した後に、衝突時間及び車間時間のいずれか一方と、予め設定された所定値とに基づいて、前記低速側に変更する制御からの復帰を行うことを特徴とする車両の走行制御装置。
【請求項８】
前車との位置関係に基づいて変速機の変速段又は変速比を低速側に変更する制御を実行する車両の走行制御装置において、前記低速側に変更した後に、車間距離と、予め設定された所定値とに基づいて、前記低速側に変更する制御からの復帰を行うことを特徴とする車両の走行制御装置。
【請求項９】
請求項８記載の車両の走行制御装置において、前記低速側に変更した後に、更に、衝突時間と予め設定された設定値とに基づいて、前記低速側に変更する制御からの復帰を行うことを特徴とする車両の走行制御装置。
【請求項１０】
請求項７から９のいずれか一つに記載の車両の走行制御装置において、前記低速側に変更する制御からの復帰には、車間距離又は衝突時間に基づいて決定される変速段まで復帰させることが含まれることを特徴とする車両の走行制御装置。
【発明の詳細な説明】
【技術分野】
【０００１】
本発明は、自車と前車との車間距離に応じて自車の変速機を制御する車両の走行制御装
置に関するものである。
【背景技術】
【０００２】
自車と先行する前車との車間距離を検出し、この車間距離が安全な距離に維持されるよ
うに自車の車速を制御する技術が従来から知られている。一般には、自車と前車との車間
距離が安全車間距離よりも短くなったときに、自車の変速機をシフトダウンしてエンジン
ブレーキにより自車を減速させ、この車間距離制御中に、運転者がアクセルペダルを操作
した場合には、この減速制御を解除するようにしている。
【０００３】
このような技術としては、例えば、下記特許文献１に記載された技術がある。この特許
文献１に記載された車両用走行制御装置は、変速機のシフトダウンによる車間距離制御中
に、運転者がアクセルペダルを操作した場合、このアクセル開時間が所定値以上であると
きにシフトダウン制御を中止してシフトアップし、それ以外は現在のシフト段を維持する
ようにしたものである。従って、真に増速が必要であるときにだけシフトアップすること
で、ドライバビリティを向上することができる。
【０００４】
【特許文献１】特開２０００−３１８４８４号公報
【発明の開示】
【発明が解決しようとする課題】
【０００５】
車間距離制御では、自車が前方を走行する前車に対して追従走行するとき、自車と前車
との車間距離が減少すると、変速機をシフトダウンして自車のエンジンブレーキを増大さ
せて、相対車速を低下させるようにしている。その後、自車の運転者は前車に追従しよう
としたり、追い越そうとしたりすることがあり、アクセルペダルを踏み込んで加速させる
。一般に、自車が前方を走行する前車に追従したい場合、運転者は一度アクセルペダルを
踏み込んで自車が加速したら、早期にアクセルペダルを戻すような操作を行う。また、自
車が前車を追い越したい場合、運転者はアクセルペダルを一定時間踏み込み、自車が加速
して前車を追い越したら、アクセルペダルを直ちに戻すような操作を行う。即ち、追越走
行では、低速段を維持して一定時間加速走行したいが、追従走行では、低速段を長い時間
維持せずにシフトアップしたいという要求がある。
【０００６】
上述した従来の車両用走行制御装置にあっては、シフトダウンによる車間距離制御中に
、運転者がアクセルペダルを所定時間以上開操作すると、低速段の選択制御を中止するよ
うにしている。そのため、追越走行時に、運転者がアクセルペダルを所定時間以上踏込む
と、この制御を中止してシフトアップしてしまい、自車は十分な加速力を得ることができ
ず、前車をスムースに追い越すことができない。一方、所定時間を追越用に合わせると、
追従走行時には必要以上に低速段が選択されつづけ、自車は運転者の意図よりも大きな駆
動力が発生し、スムースな追従走行を行うことができない。
【０００７】
また、自車が前車に接近して追従走行したり、追越走行する場合に、運転者は様々なア
クセルの踏み方をする。即ち、追従走行や追越走行であっても、自車の運転状態、つまり
、車速や変速段によりアクセルペダルの踏込み量（アクセル開度）や踏込み時間（アクセ
ル開時間）は異なるものである。そのため、アクセル開度やアクセル開時間だけでは、車
両の追従走行と追越走行とを正確に判別することができず、ドライバビリティを悪化させ
てしまうという問題がある。
【０００８】
本発明は、このような問題を解決するためのものであって、運転者の意思に応じた走行
性を確保することでドライバビリティの向上を図った車両の走行制御装置を提供すること
を目的とする。
【課題を解決するための手段】
【０００９】
本発明の車両の走行制御装置は、前車との位置関係に基づいて変速機の変速段又は変速比を低速側に変更する制御を実行する車両の走行制御装置において、自車の定常走行に必要な駆動力を検出する駆動力検出手段と、自車の駆動力増大指示に相当する値と前記駆動力検出手段が検出した定常走行に必要な駆動力とに基づいて前記低速側に変更する制御が終了するまで制御時間を設定する制御時間設定手段とを具えたことを特徴とするものである。
【００１０】
本発明の車両の走行制御装置において、前記制御時間設定手段は、前記駆動力増大指示に相当する値と前記駆動力検出手段が検出した定常走行に必要な駆動力との偏差に基づいて前記低速側に変更する制御が終了するまで制御時間を設定することを特徴とするものである。
【００１１】
本発明の車両の走行制御装置において、前記駆動力増大指示に相当する値と前記駆動力検出手段が検出した定常走行に必要な駆動力との偏差が大きいほど、前記制御時間
を長く設定したことを特徴とするものである。
【００１２】
本発明の車両の走行制御装置において、前記低速側に変更する制御中に前記駆動力増大指示に相当する値が変更されたときに、前記制御時間設定手段は、変更された駆動力増大指示に相当する値に基づいて前記制御時間を更新することを特徴とするものである。
【００１３】
本発明の車両の走行制御装置において、前記低速側に変更する制御中に前記駆動力増大指示が解除されたときに、前記制御時間をキャンセルすることを特徴とするものである。
【００１４】
本発明の車両の走行制御装置において、前記制御時間設定手段は、前記駆動力増大指示に相当する値としての現在のアクセル開度と、前記定常走行に必要な駆動力から求められた定常アクセル開度とに基づいて前記低速側に変更する制御が終了するまでの制御時間を設定することを特徴とするものである。
【００１５】
本発明の車両の走行制御装置は、前車との位置関係に基づいて変速機の変速段又は変速比を低速側に変更する制御を実行する車両の走行制御装置において、前記低速側に変更した後に、衝突時間及び車間時間のいずれか一方と、予め設定された所定値とに基づいて、前記低速側に変更する制御からの復帰を行うことを特徴とするものである。
【００１６】
本発明の車両の走行制御装置は、前車との位置関係に基づいて変速機の変速段又は変速比を低速側に変更する制御を実行する車両の走行制御装置において、前記低速側に変更した後に、車間距離と、予め設定された所定値とに基づいて、前記低速側に変更する制御からの復帰を行うことを特徴とするものである。
【００１７】
本発明の車両の走行制御装置において、前記低速側に変更した後に、更に、衝突時間と予め設定された設定値とに基づいて、前記低速側に変更する制御からの復帰を行うことを特徴とするものである。
【００１８】
本発明の車両の走行制御装置において、前記低速側に変更する制御からの復帰には、車間距離又は衝突時間に基づいて決定される変速段まで復帰させることが含まれることを特徴とするものである。
【発明の効果】
【００１９】
本発明の車両の走行制御装置によれば、運転者の意思に応じた走行性を確保してドライバビリティの向上を図ることができる。
【発明を実施するための最良の形態】
【００２０】
以下に、本発明にかかる車両の走行制御装置の実施例を図面に基づいて詳細に説明する
。なお、この実施例によりこの発明が限定されるものではない。
【実施例１】
【００２１】
図１は、本発明の実施例１に係る車両の走行制御装置を表す概略構成図、図２は、実施
例１の車両の走行制御装置による制御のフローチャート、図３は、実施例１の車両の走行
制御装置による制御のタイムチャート、図４−１は、実施例１の車両の走行制御装置によ
る追従制御１のタイムチャート、図４−２は、実施例１の車両の走行制御装置による追従
制御２のタイムチャート、図４−３は、実施例１の車両の走行制御装置による追越制御の
タイムチャート、図５−１は、追従走行時におけるアクセル開度を表すグラフ、図５−２
は、追越走行時におけるアクセル開度を表すグラフである。
【００２２】
本実施例の車両の走行制御装置において、図１に示すように、内燃機関としてのエンジ
ン１１には、トルクコンバータ１２を有する自動変速機１３が連結されており、エンジン
１１の駆動力は、このトルクコンバータ１２を介して自動変速機１３に入力され、図示し
ないデファレンシャルギヤ及びドライブシャフトを介して駆動輪に伝達される。また、自
動変速機１３は、油圧制御装置１４により車両の運転状態に応じて変速比を自動的に制御
可能となっている。
【００２３】
車両にはエンジン１１や自動変速機１３などを制御する電子制御ユニット（ＥＣＵ）１
５が設けられており、このＥＣＵ１５はエンジン１１及び自動変速機１３（油圧制御装置
１４）の総合的な制御を行う。
【００２４】
即ち、車両にはアクセルペダルの操作量（アクセル開度）を検出するアクセルポジショ
ンセンサ２１が設けられており、検出したアクセル開度はＥＣＵ１５に出力される。エン
ジン１１の吸気管２２には電子スロットルバルブ２３が設けられており、この電子スロッ
トルバルブ２３はスロットルアクチュエータ２４により開閉可能となっている。ＥＣＵ１
５はこのスロットルアクチュエータ２４により電子スロットルバルブ２３を駆動し、スロ
ットル開度がアクセル開度に応じたものとなるように制御する。また、吸気管２２には電
子スロットルバルブ２３をバイパスするバイパス通路２５が設けられており、このバイパ
ス通路２５にはエンジン１１のアイドル回転数を制御するために電子スロットルバルブ２
３の全閉時の吸気量を制御するアイドルスピードコントロールバルブ（ＩＳＣバルブ）２
６が設けられている。そして、電子スロットルバルブ２３の全閉状態（アイドル状態）及
びスロットル開度を検出するアイドルスイッチ付スロットルポジションセンサ２７が設け
られており、検出したアイドル信号及びスロットル開度はＥＣＵ１５に出力される。
【００２５】
また、吸気管２２にて、電子スロットルバルブ２３の上流側には吸入空気量を検出する
エアフローセンサ２８が設けられており、検出した吸入空気量はＥＣＵ１５に出力される
。更に、エンジン１１には、エンジン回転数（エンジン回転速度）を検出するエンジン回
転数センサ２９が設けられると共に、車両の走行速度を検出する車速センサ３０が設けら
れており、検出したエンジン回転数や車速はＥＣＵ１５に出力される。また、車両には、
運転者が操作するシフトレバーの位置を検出するシフトポジションセンサ３１が設けられ
ており、検出したシフトポジションや変速段はＥＣＵ１５に出力される。なお、車両には
、ブレーキの作動を検出するブレーキスイッチ３３が設けられており、検出したブレーキ
信号はＥＣＵ１５に出力される。
【００２６】
従って、ＥＣＵ１５は、エンジン回転数、吸入空気量、スロットル開度などのエンジン
１１の運転状態に基づいて燃料噴射量、噴射時期、点火時期などを決定し、インジェクタ
や点火プラグなどを制御することができる。また、ＥＣＵ１５は、変速マップを有してお
り、スロットル開度、車速などに基づいて自動変速機１３の変速段を決定し、この決定さ
れた変速段を成立させるように油圧制御装置１４を制御することができる。また、変速時
の変速比の変化に伴ってエンジン回転数を適切に変化させるため、必要に応じてエンジン
１１の出力制御を行うことができる。
【００２７】
また、本実施例では、自車と先行する前車との車間距離を検出し、この車間距離に基づ
いてダウンシフトを実施し、減速度を増大させる制御が可能となっている。この場合、Ｅ
ＣＵ１５は、自車と前車との車間距離を自車速で除算した車間時間の値が所定値以下にな
ったときに、自車の自動変速機１３をシフトダウンしてエンジンブレーキの作用により自
車を減速させ、この低速段側の変速段を選択中に、運転者がアクセルペダルを操作するな
ど駆動力増大の指示をした場合に、この低速段側の変速段を選択する制御を解除するよう
にしている。
【００２８】
そのため、車両には、前方を先行する車両（前車）との車間距離を計測する車間距離セ
ンサとしてのレーザレーダセンサ３４が設けられており、検出した前車との車間距離はＥ
ＣＵ１５に出力される。なお、車間距離センサはこのレーザレーダセンサ３４に限るもの
ではなく、電波や超音波などを用いたもの、また、複数のカメラによる撮影画像により車
間距離を算出するようにしたものでも良い。
【００２９】
そして、本実施例では、ＥＣＵ１５は、上述した低速段側の変速段を選択する制御の実
行中に、自車の定常走行に必要な駆動力、例えば、アクセル開度（スロットル開度）を検
出（駆動力検出手段）し、駆動力増大の指示に相当する値、例えば、現在のアクセル開度
（スロットル開度）とこの定常走行に必要なアクセル開度（スロットル開度）との偏差を
算出し、このアクセル開度の偏差に基づいて、低速段側の変速段を選択する制御を実行後
にこの制御の解除判断がなされてから終了するまでの制御時間を設定（制御時間設定手段
）するようにし、この制御時間が経過したら低速段側の変速段を選択する制御を解除する
ようにしている。
【００３０】
具体的に、本実施例では、現在のアクセル開度と定常走行に必要なアクセル開度との偏
差並びにその偏差の変化状況をリアルタイムで継続して監視し、自車が前車を追従する運
転状態か、また、自車が前車を追越する運転状態かを判別する。そして、追従走行であれ
ば制御時間を短く設定し、短時間で低速段の選択制御を中止してシフトアップ可能とし、
追越走行であれば制御時間を長く設定し、追い越しに必要な駆動力を所定時間確保してス
ムースな追越運転を可能とする。
【００３１】
一般に、自車が前車に追従する運転の場合、図５−１に示すように、運転者は一度アク
セルペダルを踏み込んで自車が加速させた後、直ぐに前車に接近するため、直ちにアクセ
ルペダルを戻すような操作を行う傾向がある。また、自車が前車を追い越す運転をする場
合、図５−２に点線で示すように、運転者はアクセルペダルを踏み込んで自車を加速させ
た後、この状態を一定時間保持して前車を追い越したら、アクセルペダルを徐々に戻すよ
うな操作を行う傾向がある。この追従運転及び追越運転では、図５−１及び図５−２に示
すように、車速が増大するほどにアクセル開度が大きくなっており、また、変速段が高く
なるほどアクセル開度が大きくなると予測できる。但し、両者の運転にて、最初からアク
セルペダルをあまり踏み込まずにゆっくりと踏み込んでいくケースもある。
【００３２】
本実施例の車両の走行制御装置は、上述したように、現在のアクセル開度と定常走行に
必要なアクセル開度との偏差をリアルタイムで検出しており、このアクセル開度の偏差に
基づいて自車の運転状態を判定することで、追従運転状態か追越運転状態かを確実に判別することができる。そして、各運転状態に対応した制御時間を設定する。
【００３３】
この制御時間の設定方法は、例えば、下記表１を用いる。ここで、アクセル開度は、踏
込み角度を全開角度で除算したものであり、割合（％）で表示している。また、アクセル
開度の偏差は、現在のアクセル開度から定常走行でのアクセル開度を減算したものである
。この表１にて、アクセル開度の偏差が１０％以下であれば、制御時間を２秒に設定し、
偏差が１０％より大きく２０％以下であれば３秒に、偏差が２０％より大きく３０％以下
であれば４秒に、偏差が３０％より大きければ６秒にそれぞれ設定する。
【００３４】
【表１】
2007040434.tif 000003
【００３５】
なお、上述した自車の定常走行とは、勾配のない走行路にて、車両の駆動力と走行抵抗
が釣り合った運転状態であり、運転者がアクセルペダルを所定量踏込んだ状態を維持し、
車速に変化のない走行状態を指すものである。そして、駆動力はエンジン性能、変速段な
どから求めることができ、走行抵抗は、車両の空気抵抗、路面摩擦係数、車重などから求
めることができるため、この駆動力と走行抵抗が釣り合ったときのスロットル開度、つま
り、アクセル開度が定常走行に必要な駆動力となる。なお、走行実験にて、車速及び変速
段ごとに車両の定常走行を再現し、このときのスロットル開度を求めてマップとして記憶
させておいても良い。
【００３６】
ここで、本実施例の車両の走行制御装置による走行制御を図２のフローチャートに基づ
いて説明する。
【００３７】
車両の走行制御において、図２に示すように、ステップＳ１１にて、ＥＣＵ１５は、ダ
ウンシフト制御を実行するための実行条件が成立しているかどうかを判定する。ここでは
、アクセルペダルがＯＦＦ状態で、且つ、車間時間が予め設定された所定値より小さいと
きにダウンシフト実行条件が成立したと判定する。ここで、アクセルペダルのＯＦＦ状態
は、アイドルスイッチ付スロットルポジションセンサ２７からのアイドル信号で判定する
ことができる。つまり、運転者がアクセルペダルを踏み込んでいないアイドル状態では、
アイドルＯＮ信号が出力されており、ＥＣＵ１５はこのアイドルＯＮ信号を受けてアクセ
ルペダルのＯＦＦ状態を認識する。また、車間時間とは、現在の自車と前車との車間距離
を自車速で除算した時間であり、自車があと何時間（実際には、何秒）で前車の位置に到
達するかという時間である。即ち、アクセルペダルのＯＦＦ状態により運転者の減速意思
を確認し、車間時間の減少により車間距離が保たれていないことを確認している。
【００３８】
なお、アクセルペダルのＯＦＦ状態の判定はアイドルＯＮ信号に限らず、アクセルポジ
ションセンサ２１が検出したアクセル開度により判定しても良い。即ち、現在のアクセル
開度が、自車の走行抵抗より小さい駆動力を発生するためのアクセル開度より小さければ
、アクセルペダルのＯＦＦ状態と判定すればよい。また、車間時間に代えて衝突時間を用
いても良い。この衝突時間とは、現在の自車と前車との車間距離を、自車と前車との相対車速（＝前車車速−自車速）で除算した時間であり、自車があと何時間（実際には、何秒）で前車に衝突するかという時間である。なお、衝突時間は、相対車速の定義により負の値となる。
【００３９】
そして、ステップＳ１１で、ＥＣＵ１５はダウンシフト実行条件が成立していれば、ス
テップＳ１２に移行し、ダウンシフトを実行する。つまり、ＥＣＵ１５は、ダウンシフト
実行条件の成立を待って、自動変速機１３の変速段を、例えば、４速から３速へシフトダ
ウンすることを決定し、この決定された変速段を成立させるように油圧制御装置１４を制
御する。即ち、ダウンシフト制御が実行されると共に、変速後の低速段(３速)が維持され
る制御(低速段の選択制御)が実行される。
【００４０】
ステップＳ１３では、このダウンシフト実行後に、アクセルペダルのＯＮ状態を判定す
る。つまり、自車がダウンシフトによりエンジンブレーキ力が増大して減速し、前車との
相対車速が大きく（絶対値が小さく）なった場合、アクセルペダルのＯＮ状態を判定することで、運転者の加速意思を確認する。なお、このアクセルペダルのＯＮ状態は、前述したアクセルペダルのＯＦＦ状態と同様に、アイドルスイッチ付スロットルポジションセンサ２７からのアイドル信号で判定すればよい。つまり、運転者がアクセルペダルを踏み込んだ状態では、アイドルＯＦＦ信号が出力されており、ＥＣＵ１５はこのアイドルＯＦＦ信号を受けてアクセルペダルのＯＮ状態を認識する。なお、この判定はアイドル信号に限らず、アクセルポジションセンサ２１が検出したアクセル開度により判定しても良い。
【００４１】
このステップＳ１３でアクセルペダルのＯＮ状態が判定されなければ、低速段の選択制
御が継続される一方、アクセルペダルのＯＮ状態が判定されれば、ステップＳ１４に移行
し、ここで、復帰タイマーをスタートさせる。そして、ステップＳ１５にて、現在の車速
及び変速段において、自車の定常走行に必要なアクセル開度Ｐ０を算出する。アクセル開
度Ｐ０の算出方法としては、前述したように、定常走行での駆動力と走行抵抗が釣り合っ
たときのアクセル開度を演算によって求めたり、予め走行実験にてよって得たデータを記
憶したマップから求めても良い。そして、ステップＳ１６にて、現在のアクセル開度Ｐと
この定常走行に必要なアクセル開度Ｐ０との偏差ＤＰを算出し、ステップＳ１７にて、こ
のアクセル開度の偏差ＤＰに基づいて低速段の選択制御の解除指令を受けてからこの制御
が終了するまでの制御時間、つまり、復帰タイマー時間を表１により算出する。
【００４２】
ステップＳ１８では、復帰タイマーのカウント時間が設定した復帰タイマー時間（制御
時間）を超えたかどうか、つまり、この復帰タイマー時間が経過したかどうかを判定する
。ここで、まだ、復帰タイマー時間が経過していなければ、ステップＳ１９でアクセルペ
ダルがＯＦＦされているかどうかを確認し、すでにアクセルペダルが戻されてアクセルペ
ダルがＯＦＦ状態であれば、ステップＳ２０で復帰タイマーをリセットしてから、ステッ
プＳ１３に戻り、再び、アクセルペダルのＯＮ操作を待つ。
【００４３】
一方、ステップＳ１９でアクセルペダルがＯＦＦ状態でないと判定されると、ステップ
Ｓ１５に戻り、再び、ここで、定常走行に必要なアクセル開度Ｐ０を算出し、ステップＳ
１６で現在のアクセル開度Ｐと定常走行に必要なアクセル開度Ｐ０との偏差ＤＰを算出し
、ステップＳ１７でアクセル開度の偏差ＤＰに基づいて制御時間、つまり、復帰タイマー
時間を表１により算出する。このとき、運転者によるアクセルペダルの踏込み量（アクセ
ル開度）の変化によりアクセル開度の偏差ＤＰが増減するため、復帰タイマー時間が更新
される。
【００４４】
そして、ステップＳ１８で、再び、復帰タイマーのカウント時間が復帰タイマー時間を
超えたかどうか、つまり、復帰タイマー時間が経過したかどうかを判定する。ここで、ま
だ、復帰タイマー時間が経過していなければ、ステップＳ１９に移行し、前述と同様の処
理を行う。一方、このステップＳ１８で、復帰タイマー時間が経過していれば、ステップ
Ｓ２１に移行し、低速段の選択制御を解除してシフトアップを可能とし、通常の変速段制
御を実行する。即ち、ＥＣＵ１５は、スロットル開度、車速などに基づいて油圧制御装置
１４により自動変速機１３を制御する。
【００４５】
このような本実施例の車両の走行制御装置による走行制御を図３のタイムチャートを用
いて説明する。
【００４６】
図３に示すように、時刻ｔ０でアクセルペダルが全閉(ＯＦＦ)状態で、車間時間が所定
値より小さくなってダウンシフト実行条件が成立すると、ダウンシフト制御並びに低速段
の選択制御が開始される。即ち、時刻ｔ０で変速段をｎ（例えば、４速）からｎ−１（例
えば、３速）へシフトダウンする変速指令が出力され、時刻ｔ１で自動変速機１３の入力
軸回転数が上昇して変速が開始され、時刻ｔ２で変速が完了してダウンシフト制御が終了
する。但し、ダウンシフト制御が終了しても、変速後の低速段(３速)が維持されるように
低速段の選択制御はそのまま継続される。
【００４７】
時刻ｔ３で運転者の加速意思によりアクセルペダルが踏み込まれると入力軸回転数が上
昇し、アクセルペダルのＯＮ状態が判定されると、この時刻ｔ３で復帰タイマーを作動さ
せる。この間、アクセル開度の偏差ＤＰに基づいて、低速段の選択制御を解除する判断が
なされてからこの制御を終了するまでの制御時間（ｔ３〜ｔ４間での時間）を求める。そ
して、時刻ｔ４で制御時間が経過すると復帰タイマーをリセットし、低速段の選択制御を
終了し、アップシフト制御を開始する。即ち、時刻ｔ４で変速段をｎ−１からｎへシフト
アップする変速指令が出力され、時刻ｔ５で自動変速機１３の入力軸回転数が下降して変
速が開始され、時刻ｔ６で変速が完了してアップシフト制御が終了する。
【００４８】
また、ここで、上述した車両の走行制御装置による走行制御の具体例を図４−１から図
４−３のタイムチャートに基づいて説明する。なお、この図４−１から図４−３にて、実
線は現在のアクセル開度、点線は定常走行のアクセル開度を表す。
【００４９】
本実施例の車両の走行制御装置による追従制御１において、図４−１に示すように、低
速段の選択制御中に、アクセルペダルが踏み込まれる（ＯＮ状態）と、復帰タイマーがス
タート（時間＝０）し、現在のアクセル開度Ｐと定常走行のアクセル開度Ｐ０との偏差Ｄ
Ｐに基づいて復帰タイマー時間（制御時間）が求められる。この場合、当初、復帰タイマ
ー時間が４秒に設定される。しかし、復帰タイマー時間がリアルタイムで更新されている
ため、復帰タイマーのカウント時間が４秒を経過する前にアクセルペダルが戻されると、
復帰タイマー時間は４秒から３秒、２秒に更新される。従って、この状態は、追従運転で
あると判断され、アクセルペダルが踏み込まれてから２秒を経過すると、低速段の選択制
御が解除されてシフトアップが可能となり、不必要な駆動力が発生せずにスムースな追従
走行を行うことができる。
【００５０】
また、車両の走行制御装置による追従制御２において、図４−２に示すように、低速段
の選択制御中に、アクセルペダルが踏み込まれる（ＯＮ状態）と、復帰タイマーがスター
ト（時間＝０）し、現在のアクセル開度Ｐと定常走行のアクセル開度Ｐ０との偏差ＤＰに
基づいて復帰タイマー時間（制御時間）が求められる。この場合、アクセルペダルの踏込
み量が大きくないためにアクセル開度の偏差は小さく、復帰タイマー時間が２秒に設定さ
れる。そして、アクセル開度に変化がないため、復帰タイマー時間は２秒のままとなる。
従って、この状態は、追従運転であると判断され、アクセルペダルが踏み込まれてから２
秒を経過すると、低速段の選択制御が解除されてシフトアップが可能となり、不必要な駆
動力が発生せずにスムースな追従走行を行うことができる。
【００５１】
そして、車両の走行制御装置による追越制御において、図４−３に示すように、低速段
の選択制御中に、アクセルペダルが踏み込まれる（ＯＮ状態）と、復帰タイマーがスター
ト（時間＝０）し、現在のアクセル開度Ｐと定常走行のアクセル開度Ｐ０との偏差ＤＰに
基づいて復帰タイマー時間（制御時間）が求められる。この場合、アクセルペダルの踏込
み量が大きいためにアクセル開度の偏差が大きく、復帰タイマー時間が６秒に設定される
。そして、アクセル開度に変化がないまま復帰タイマー時間は６秒に維持されるが、復帰
タイマーのカウント時間が６秒を経過する前に、アクセルペダルが戻されたため、復帰タ
イマー時間は６秒から４秒に更新される。従って、この状態は、追越運転であると判断さ
れ、アクセルペダルが戻されたときに復帰タイマー時間が４秒に更新されるが、この時点
で、すでにアクセルペダルが踏み込まれてから４秒以上経過しており、ここで低速段の選
択制御が解除されてシフトアップが可能となる。そのため、低速段の選択制御が４秒以上
継続したこととなり、追い越しに必要な駆動力を所定時間確保してスムースな追越運転を
行うことができる。
【００５２】
このように実施例１の車両の走行制御装置にあっては、自車と先行する前車との車間距
離を検出し、この車間距離が設定した値以下、あるいは自車と前車との車間距離を自車速
で除算した車間時間が所定値以下になったときに、自車の自動変速機１３をシフトダウン
してエンジンブレーキの作用により自車を減速させるダウンシフトを実行して変速後の低
速段を維持し、この低速段の選択制御中に、現在のアクセル開度と自車の定常走行に必要
なアクセル開度との偏差を算出し、このアクセル開度の偏差に基づいてこの制御が終了す
るまでの制御時間を設定し、この制御時間を経過したら低速段の選択制御を解除するよう
にしている。
【００５３】
従って、現在のアクセル開度と自車の定常走行に必要なアクセル開度との偏差を用いる
ことで、運転者の意図する運転を適正に読み取ることができ、追従運転では、短時間で低
速段の選択制御が解除されてシフトアップが可能となり、不必要な駆動力が発生せずにス
ムースな追従走行を行うことができる一方、追越運転では、所定時間低速段の選択制御が
継続されるため、追い越しに必要な駆動力を確保してスムースな追越運転を行うことがで
きる。その結果、運転者の意思に応じた走行性を確保してドライバビリティの向上を図る
ことができる。
【００５４】
また、低速段の選択制御中は、現在のアクセル開度と定常走行に必要なアクセル開度と
の偏差をリアルタイムで常時監視しており、この偏差に変化があったときには、制御時間
を随時更新することとなり、運転者の運転意図を直ちに読み取って適正な変速制御を可能
とすることができ、ドライバビリティの向上を図ることができる。更に、低速段の選択制
御が実行されて制御時間を計測する復帰タイマーがスタートしても、アクセルペダルが戻
されてＯＦＦされたら、復帰タイマーをリセットするようにしており、運転者の運転意図
の変更も確実に読み取って適正な変速制御を可能とすることができる。
【００５５】
なお、上記実施例１では、上記のように、低速段の選択制御中に、現在のアクセル開度と自車の定常走行に必要なアクセル開度との偏差を算出し、このアクセル開度の偏差に基づいてこの制御が終了するまでの制御時間を設定した。これに代えて、現在のアクセル開度と自車の定常走行に必要なアクセル開度との比率を算出し、このアクセル開度の比率に基づいてこの制御が終了するまでの制御時間を設定することができる。即ち、実施例１では、駆動力増大の指示に相当する値と、自車の定常走行に必要な駆動力に基づいて、低速段側に選択変更する制御が終了するまでの制御時間を設定することができる。
【００５６】
上記比率に基づく制御時間の設定方法は、例えば、下記表２を用いることができる。ここで、アクセル開度の比率は、現在のアクセル開度と定常走行でのアクセル開度との比率を分数（現在のアクセル開度／定常走行でのアクセル開度）で表したものである。この表２にて、アクセル開度の比率が１．２以下であれば、制御時間を２秒に設定し、比率が１．２より大きく２．５以下であれば３秒に、比率が２．５より大きく４以下であれば４秒に、比率が４より大きければ６秒にそれぞれ設定する。
【００５７】
【表２】
2007040434.tif 000004
【００５８】
定常走行負荷がそれ程大きくない中低速では、この領域での駆動力を一定値と見做すことでアクセル開度やスロットル開度の絶対値で復帰タイマー時間を決めることも考えられる。このことはアクセル開度やスロットル開度を検出することだけで実質的に偏差（上記表１）や比率（表２）を求めることに相当する。
【実施例２】
【００５９】
図６は、本発明の実施例２に係る車両の走行制御装置による制御のフローチャートであ
る。なお、前述した実施例で説明したものと同様の機能を有する部材には同一の符号を付
して重複する説明は省略する。
【００６０】
本実施例の車両の走行制御装置の概略構成は、前述した実施例１とほぼ同様であるため
、説明は省略する。本実施例の車両の走行制御装置では、ダウンシフトを実行した後に低
速段の選択制御の解除条件が成立したとき、衝突時間（＝車間距離／相対車速）を算出し（上記のように、相対車速の定義により衝突時間は負の値となる）、この衝突時間が予め設定された所定時間以下であるときに低速段の選択制御の解除を許可し、この制御を終了するようにしている。以下、本実施例の走行制御について説明する。
【００６１】
本実施例の車両の走行制御装置において、図６に示すように、ステップＳ１０１にて、
ＥＣＵ１５は、ダウンシフトを実行するための実行条件が成立しているかどうかを判定す
る。即ち、アクセルペダルがＯＦＦ状態で、且つ、車間時間が予め設定された所定値より
小さいときにダウンシフト実行条件が成立したと判定する。このステップＳ１０１で、ダ
ウンシフト実行条件が成立していれば、ステップＳ１０２に移行してダウンシフトを開始
し、ＥＣＵ１５は自動変速機１３の変速段を、例えば、４速から３速へシフトダウンする
ように油圧制御装置１４を制御する。
【００６２】
ステップＳ１０３では、ダウンシフトが実行されて変速後の変速段が維持されていると
き、アクセルペダルのＯＮ状態を判定することで、運転者の加速意思を確認する。このス
テップＳ１０３でアクセルペダルのＯＮ状態が判定されなければ、低速段の選択制御が継
続される一方、アクセルペダルのＯＮ状態が判定されれば、ステップＳ１０４に移行して
、低速段の選択制御を終了するための条件が成立しているかどうかを判定する。そして、
このステップＳ１０４で低速段の選択制御の終了条件が成立していないと判定されると、
ステップＳ１０３に戻り、低速段の選択制御の終了条件が成立していると判定されると、
ステップＳ１０５に移行する。
【００６３】
なお、この低速段の選択制御の終了条件成立の判定は、前述した実施例１における処理
（ステップＳ１１〜Ｓ１８）を用いても良い。つまり、現在のアクセル開度Ｐと定常走行
に必要なアクセル開度Ｐ０との偏差ＤＰを算出し、このアクセル開度の偏差ＤＰに基づい
て制御時間を設定し、復帰タイマーを用いてこの制御時間の経過を待って低速段の選択制
御の終了条件が成立したと判定する。また、低速段の選択制御の終了条件成立の判定は、
この方法以外に、例えば、現在のアクセル開度が所定値を越えたとき、アクセル開時間が
所定値を超えたときに、制御終了条件が成立したと判定するようにしても良い。
【００６４】
ステップＳ１０４にて、低速段の選択制御の終了条件が成立したと判定されると、ステ
ップＳ１０５では、衝突時間が予め設定された所定値以下であるか否かを判定する。この場合、衝突時間に代えて、現在の自車と前車との車間距離を自車速で除算した車間時間を用いても良い。
【００６５】
そして、このステップＳ１０５で衝突時間が所定値より大きいと判定されたとき、自車は前車との車間距離が十分でないという判断であり、この状態で変速段を復帰させると、自車が前車に衝突してしまう虞がある。そのため、ＥＣＵ１５は、変速段を復帰させずにステップＳ１０３に戻る。一方、衝突時間が所定値以下であると判定されたとき、自車は前車との車間距離が十分であるという判断であり、この状態で低速段の選択制御を終了しても、自車が前車に衝突してしまう虞はほとんどない。そのため、ステップＳ１０６に移行し、ＥＣＵ１５は、変速段が車間距離に基づいて決まる変速段まで復帰するように制御する。この場合、車間距離に基づいて決まる変速段は、車間距離が小さいほど、規制変速段が低速段側となるように設定される。車間距離が大きくなるに連れて、変速段は相対的に高速段まで復帰する。
【００６６】
なお、上記ステップＳ１０６では、車間距離に基づいて決まる変速段まで復帰するように制御されたが、これに代えて、衝突時間に基づいて決まる変速段まで復帰するように制御されてもよく（この場合、衝突時間の絶対値が小さいほど規制変速段は低速段側とする）、またさらに、車間距離及び衝突時間に基づいて決まる変速段まで復帰するように制御されてもよい。
【００６７】
ステップＳ１０６の次に、ステップＳ１０７に移行して、ＥＣＵ１５は、変速段が例えば、車速とアクセル開度（通常の変速段制御）から決まる変速段に到達したか否かを判定する。その判定の結果、肯定的に判定されれば、本制御フローは終了し、否定的に判定されれば、ステップＳ１０３に戻る。
【００６８】
このように実施例２の車両の走行制御装置にあっては、低速段の選択制御の終了条件が
成立したときに、衝突時間を算出し、この衝突時間が予め設定された所定値以下であるときに、変速段を車間距離及び衝突時間の少なくともいずれか一方に基づいて決まる変速段まで復帰させ、通常の変速段制御で決まる変速段まで到達したら、この制御を終了するようにしている。
【００６９】
従って、低速段の選択制御を終了するときに、衝突時間を考慮したことで、変速操作が繰り返し行われて車間距離が頻繁に変わるような制御が行われることはなく、また、車間距離が極端に短くなって安全が損なわれるような制御が行われることはなく、運転者の意思に応じた走行性を確保してドライバビリティの向上を図ることができる。
【００７０】
本発明者による検討の結果、車間距離が小さい場合には、衝突時間が大きい（相対車速が小さい）場合であっても、高速段への復帰を許可しないほうが走行性能上より良いという新たな知見が得られた。実施例２は、この知見に基づくものである。即ち、車間距離が小さい場合には、再度のアクセルオフによりダウンシフトが実行される頻度が高く、減速応答性の向上やビジーシフトの抑制の観点から変速段の復帰を無制限に許可することなく、復帰先変速段を車間距離（又は衝突時間）によって変更させる。
【００７１】
なお、上述した実施例２では、ステップＳ１０５にて、衝突時間が所定値より大きいと判定されたときには、変速段を車間距離及び衝突時間の少なくともいずれか一方に基づいて決まる変速段まで復帰させた上で通常の変速段制御で決まる変速段まで到達するのを待って、本制御を終了させるという制御（ステップＳ１０６及びステップＳ１０７）を行うことなく衝突時間が所定値以下になるのを待ったが、このとき、衝突時間と所定値との差あるいは両者の比に応じて遅延時間を算出し、低速段の選択制御の終了時間を設定しても良い。また、低速段の選択制御の終了条件を許可するときに用いた所定値より小さい第２所定値を設定し、衝突時間が第２所定値より短いと判定されたときに、更に低い変速段へのダウンシフトを実行するようにしても良い。また、この衝突時間に代えて相対速度を加味した車間距離や車間時間を用いても良い。
【実施例３】
【００７２】
図７は、本発明の実施例３に係る車両の走行制御装置による制御のフローチャートである。なお、前述した実施例で説明したものと同様の機能を有する部材には同一の符号を付して重複する説明は省略する。
【００７３】
上述した実施例２では、ダウンシフトを実行した後に低速段の選択制御の解除条件が成立したとき、衝突時間を算出し、この衝突時間が予め設定された所定時間以下であるときに、変速段を車間距離及び衝突時間の少なくともいずれか一方に基づいて決まる変速段まで復帰させ、通常の変速段制御で決まる変速段まで到達したら、本制御を終了させるようにした。
【００７４】
これに対して、実施例３では、衝突時間が所定値以下である場合には、ステップＳＡ１０６に移行して、車間距離が予め設定された所定値よりも大きいか否かが判定される。その判定の結果、否定的に判定されれば、ステップＳＡ１０３に戻り、肯定的に判定されたときに、低速段の選択解除を許可し、この制御を終了するようにしている。
【００７５】
この実施例３も、車間距離が小さい場合には、衝突時間が大きい（相対車速が小さい）場合であっても、高速段への復帰を許可しないほうが走行性能上より良いという新たな知見に基づくものである。車間距離が所定値よりも小さい場合には、再度のアクセルオフによりダウンシフトが実行される頻度が高く、減速応答性の向上やビジーシフトの抑制の観点から低速段を選択する制御を終了させないようにしたものである。
【００７６】
なお、実施例３の変形例として、ステップＳＡ１０５を省略する構成を採用することも可能である。
【実施例４】
【００７７】
図８は、本発明の実施例４に係る車両の走行制御装置による制御のフローチャートである。なお、前述した実施例で説明したものと同様の機能を有する部材には同一の符号を付して重複する説明は省略する。
【００７８】
実施例４では、衝突時間が所定値以下である場合には、ステップＳＢ１０６に移行して、車間距離が予め設定された所定値よりも大きいか否かが判定される。その判定の結果、否定的に判定されれば、ステップＳＢ１０３に戻り、肯定的に判定されたときに、変速段を車間距離及び衝突時間の少なくともいずれか一方に基づいて決まる変速段まで復帰させ、通常の変速段制御で決まる変速段まで到達したら、本制御を終了させるようにしている。
【００７９】
この実施例４も、車間距離が小さい場合には、衝突時間が大きい（相対車速が小さい）場合であっても、高速段への復帰を許可しないほうが走行性能上より良いという新たな知見に基づくものである。車間距離が小さい場合には、再度のアクセルオフによりダウンシフトが実行される頻度が高く、減速応答性の向上やビジーシフトの抑制の観点から、車間距離が所定値よりも大きい場合であっても、変速段の復帰を無制限に許可することが好ましくない場合があるので、復帰先変速段を車間距離（又は衝突時間）によって変更させることとしている。
【００８０】
なお、実施例４の変形例として、ステップＳＢ１０５を省略する構成を採用することも可能である。
【００８１】
また、上述した各実施例では、駆動力の増大指示信号として、アイドルスイッチ付スロ
ットルポジションセンサ２７からのアイドルＯＦＦ信号（ステップＳ１３，Ｓ１０３，ＳＡ１０３，ＳＢ１０３）、または、アクセルポジションセンサ２１からのアクセル開度（ステップＳ１６，Ｓ１０４，ＳＡ１０４，ＳＢ１０４）を用いたが、これらに限定されるものではない。例えば、アクセルペダルスイッチのＯＮ信号、スロットル開度の増加などとしても良い。
【００８２】
また、各実施例では、制御時間設定手段としてのＥＣＵ１５が、現在のアクセル開度と
定常運転でのアクセル開度の偏差に基づいて、低速段の選択制御の解除判断がなされてか
ら終了するまでの制御時間を設定するようにしたが、アクセル開度に代えて前述したスロ
ットル開度を用いても良い。更に、ＥＣＵ１５はアクセル開度の偏差から制御時間を設定
するようにしたが、この制御時間を距離に置き換えて制御しても良く、この場合、低速段
の選択制御の解除判断がなされてから終了するまでの走行距離が制御距離に達したときに
低速段の選択制御を終了するようにすれば良い。
【００８３】
更に、アクセル開度の偏差から制御時間を設定する場合、車両重量（積荷の積載量、乗
員の人数など）や路面勾配（上り坂、下り坂）を加味して算出してもよく、これにより計
算精度が向上して、更に運転者の意図に則した制御が可能となる。
【産業上の利用可能性】
【００８４】
以上のように、本発明に係る車両の走行制御装置は、現在のアクセル開度と定常走行の
アクセル開度とに応じて低速段の選択制御の終了時期を設定するものであり、自動変速機、無段変速機、自動変速モード付の手動変速機、ハイブリッド車両の駆動装置などの車間距離制御を実行する車両の走行制御装置に有用である。
【図面の簡単な説明】
【００８５】
【図１】本発明の実施例１に係る車両の走行制御装置を表す概略構成図である。
【図２】実施例１の車両の走行制御装置による制御のフローチャートである。
【図３】実施例１の車両の走行制御装置による制御のタイムチャートである。
【図４−１】実施例１の車両の走行制御装置による追従制御１のタイムチャートである。
【図４−２】実施例１の車両の走行制御装置による追従制御２のタイムチャートである。
【図４−３】実施例１の車両の走行制御装置による追越制御のタイムチャートである。
【図５−１】追従走行時におけるアクセル開度を表すグラフである。
【図５−２】追越走行時におけるアクセル開度を表すグラフである。
【図６】本発明の実施例２に係る車両の走行制御装置による制御のフローチャートである。
【図７】本発明の実施例３の車両の走行制御装置による制御のフローチャートである。
【図８】本発明の実施例４の車両の走行制御装置による制御のフローチャートである。
【符号の説明】
【００８６】
１１  エンジン
１３  自動変速機
１４  油圧制御装置
１５  電子制御ユニット、ＥＣＵ（駆動力検出手段、制御時間設定手段）
２１  アクセルポジションセンサ
２７  スロットルポジションセンサ
３０  車速センサ
３４  レーザレーダセンサ
【図１】
2007040434.tif 000005
【図２】
2007040434.tif 000006
【図３】
2007040434.tif 000007
【図４−１】
2007040434.tif 000008
【図４−２】
2007040434.tif 000009
【図４−３】
2007040434.tif 000010
【図５−１】
2007040434.tif 000011
【図５−２】
2007040434.tif 000012
【図６】
2007040434.tif 000013
【図７】
2007040434.tif 000014
【図８】
2007040434.tif 000015